(57)【特許請求の範囲】
【請求項１】
複数の紙葉類を収容し、紙葉類処理装置に着脱自在に取り付けられて用いられる紙葉類カセットであって、
前記複数の紙葉類を所定の方向に沿って積層して収容する筐体と、
前記筐体の内部に配置されている支持部であって、
第１面と、前記第１面よりも大きな摩擦係数を有する第２面と、を有し、
前記第１面が前記第２面に比べて前記複数の紙葉類における前記所定の方向に沿った外縁により近づく第１の配置態様と、前記第２面が前記第１面に比べて前記外縁により近づく第２の配置態様と、が切り替え可能に構成され、
前記筐体から前記複数の紙葉類を取り出すための動作に関連する所定の条件が満たされた場合に、前記第１の配置態様から前記第２の配置態様に切り替わり、
前記第２の配置態様において、前記第２面が前記外縁と接することにより、前記複数の紙葉類を支持する、支持部と、
を備える、紙葉類カセット。
【請求項２】
請求項１に記載の紙葉類カセットであって、
前記支持部は、
前記第１面を有し、厚さ方向の貫通孔が形成され、前記所定の方向と平行に配置された第１の板状部材と、
前記第１の板状部材よりも前記複数の紙葉類から離れて位置する板状の基部と、前記基部から前記第１の板状部材に向かって突出して配置されて前記第２面を形成する突出部と、を有する第２の板状部材と、
を有し、
前記突出部は、前記第２の配置態様において前記貫通孔に収容されて先端が前記複数の紙葉類と接し、
前記所定の条件は、前記支持部が前記複数の紙葉類に対して下方に位置するように、前記紙葉類カセットが載置されたとの条件を含む、紙葉類カセット。
【請求項３】
請求項２に記載の紙葉類カセットであって、
前記第２面は、前記紙葉類カセットが載置された状態において水平面に対して傾いている、紙葉類カセット。
【請求項４】
請求項２または請求項３に記載の紙葉類カセットであって、
前記筐体は、前記紙葉類カセットが載置された状態において前記第２の板状部材の下方に位置する第１の壁部を有し、
前記基部は、前記第１の板状部材と前記第１の壁部との間に配置されて、前記第１の壁部の内側面に固定され、
前記支持部は、一端が前記第１の板状部材に接続され他端が前記第１の壁部の内側面に接続された圧縮ばねを有する、紙葉類カセット。
【請求項５】
請求項１に記載の紙葉類カセットであって、
リンク機構をさらに備え、
前記支持部は、
前記第１面を有し、厚さ方向の貫通孔が形成され、前記所定の方向と略平行に配置された第１の板状部材と、
前記第１の板状部材よりも前記複数の紙葉類から離れて位置する板状の基部と、前記基部から前記第１の板状部材に向かって突出して配置されて前記第２面を形成する突出部と、を有する第２の板状部材と、
を有し、
前記突出部は、前記第２の配置態様において前記貫通孔に収容されて先端が前記複数の紙葉類と接し、
前記筐体は、前記筐体に収容されている前記複数の紙葉類を取り出すための開口を開閉する開閉部を有し、
前記リンク機構は、前記開閉部による前記開口の開動作に同期して、前記突出部の先端が前記複数の紙葉類に接するように前記第１の板状部材と前記第２の板状部材とのうちの少なくとも一方を変位させ、
前記所定の条件は、前記開動作が行なわれたとの条件を含む、紙葉類カセット。
【請求項６】
請求項１から請求項５までのいずれか一項に記載の紙葉類カセットであって、
前記筐体に積層して収容されている前記複数の紙葉類における前記所定の方向の端面と接し、前記所定の方向に沿った前記複数の紙葉類の厚さに応じて、前記所定の方向に移動する移動部材を、さらに備える、紙葉類カセット。
【請求項７】
請求項１から請求項６までのいずれか一項に記載の紙葉類カセットを備える、紙葉類処理装置。
【発明の詳細な説明】
【技術分野】
【０００１】
本発明は、紙葉類カセットに関する。
【背景技術】
【０００２】
従来から、入金機および現金自動預払機等の紙幣処理装置では、紙幣を収容するための紙幣カセットが搭載されている。一般に、紙幣カセットは、紙幣の回収し易さを考慮して紙幣処理装置から取り外し可能に構成されている。紙幣カセットは、柱状の構造を有し、且つ重量が大きいため、紙幣カセットに収容された紙幣を回収する際には、紙幣カセットの姿勢の安定性を考慮して、紙幣処理装置から取り外されて横置きにされることが多い。回収前において紙幣カセットには、紙幣が所定の方向に積層されて収容されている。しかしながら、紙幣カセットから紙幣が回収されるにつれて、紙幣カセットの内部に空間ができるため、残っている紙幣の束が崩れて紙幣回収の作業性が低下するおそれがある。この作業性の低下を抑制するために、特許文献１の紙幣カセットは、カセットの底部に設けられた棒状のスタンドを立てることにより、載置面に対して傾けて配置される。
【先行技術文献】
【特許文献】
【０００３】
【特許文献１】特開２００１−３３１８４４号公報
【発明の概要】
【発明が解決しようとする課題】
【０００４】
特許文献１の紙幣カセットでは、スタンドがずれてしまった場合、紙幣カセットが倒れるおそれがあった。このように紙幣カセットが転倒すると、紙幣回収の作業性は低下してしまう。そこで、紙幣カセットからの紙幣回収の作業性低下をより一層抑制可能な技術が求められていた。このような課題は、紙幣カセットに限らず、他の任意の紙葉類を収容する紙葉類カセットにおいても共通する課題であった。
【０００５】
そこで、本発明は、紙幣カセットから紙幣を回収する際の作業性の低下を抑制できる技術を提供する。
【課題を解決するための手段】
【０００６】
上記課題を解決するために、本発明によれば、紙葉類カセットが提供される。この紙葉類カセットは、複数の紙葉類を収容し、紙葉類処理装置に着脱自在に取り付けられて用いられる紙葉類カセットであって；前記複数の紙葉類を所定の方向に沿って積層して収容する筐体と；前記筐体の内部に配置されている支持部であって；第１面と、前記第１面よりも大きな摩擦係数を有する第２面と、を有し；前記第１面が前記第２面に比べて前記複数の紙葉類における前記所定の方向に沿った外縁により近づく第１の配置態様と、前記第２面が前記第１面に比べて前記外縁により近づく第２の配置態様と、が切り替え可能に構成され；前記筐体から前記複数の紙葉類を取り出すための動作に関連する所定の条件が満たされた場合に、前記第１の配置態様から前記第２の配置態様に切り替わり；前記第２の配置態様において、前記第２面が前記外縁と接することにより、前記複数の紙葉類を支持する、支持部と；を備える。
【発明の効果】
【０００７】
本発明によれば、紙幣カセットから紙幣を取り出す際の作業性の低下を抑制できる技術を提供することができる。
上記した以外の課題、構成及び効果は、以下の実施形態の説明により明らかにされる。
【図面の簡単な説明】
【０００８】
【図１】本発明の第１実施形態としての紙幣カセットを適用した入金機の概略構成を示す斜視図である。
【図２】紙幣搬送機構部１２および保管部１５の内部構成を説明する概略断面図である。
【図３】紙幣カセット５０の外観構成を示す斜視図である。
【図４】紙幣カセット５０の内部構成を示す説明図である。
【図５】支持部８０の動作を示す説明図である。
【図６】第２実施形態としての紙幣カセット９０の内部構成を示す説明図である。
【図７】支持部１００およびリンク機構１１０の動作を示す説明図である。
【図８】変形例１における紙幣カセット５０ａを説明する断面図である。
【図９】変形例２における紙幣カセットの支持部１００ｂを説明する模式図である。
【発明を実施するための形態】
【０００９】
Ａ．第１実施形態：
Ａ−１．装置構成：
図１は、本発明の第１実施形態としての紙幣カセットを適用した入金機の概略構成を示す斜視図である。入金機１０は、小売店や飲食店等の店舗内に設置され、売上金である紙幣および硬貨の入金を受け付けて保管する。入金機１０は、紙幣搬送機構部１２と、硬貨搬送機構部１４と、保管部１５と、操作表示部１６と、制御部１８とを備える。入金機１０の上部には、硬貨投入口３２が形成され、入金機１０の前面には、紙幣投入口２２と、紙幣リジェクト取出口２３と、紙幣返却口２４と、硬貨リジェクト取出口３３と、硬貨返却口３４とが形成されている。なお、図１では、保管部１５が入金機１０の本体から引き出された状態を表している。
【００１０】
紙幣搬送機構部１２は、紙幣投入口２２から投入された紙幣を鑑別し、正常と判別した紙幣を利用者により予め設定された動作モードに応じて、保管部１５または紙幣返却口２４へ搬送する。具体的には、紙幣搬送機構部１２は、投入された紙幣を保管部１５に保管させる「入金モード」のとき、正常と判別した紙幣を保管部１５へ搬送する。また、紙幣搬送機構部１２は、投入された紙幣を入金させずに計数のみを行なう「計数モード」のとき、正常と判別して計数された後の紙幣を紙幣返却口２４へ搬送する。紙幣搬送機構部１２は、異常と判別した紙幣（リジェクト紙幣）を紙幣リジェクト取出口２３へ搬送する。紙幣搬送機構部１２の内部構成については、後述する。
【００１１】
硬貨搬送機構部１４は、硬貨投入口３２から投入された硬貨を鑑別し、正常と判別した硬貨を利用者により予め設定された動作モードに応じて、保管部１５または硬貨返却口３４へ搬送する。具体的には、硬貨搬送機構部１４は、「入金モード」のとき、正常と判別した硬貨を保管部１５へ搬送し、「計数モード」のとき、正常と判別して計数された後の硬貨を硬貨返却口３４へ搬送する。硬貨搬送機構部１４は、異常と判別した硬貨（リジェクト硬貨）を硬貨リジェクト取出口３３へ搬送する。
【００１２】
保管部１５は、スライドされることによって入金機１０の本体から引き出し可能に構成されている。保管部１５は、入金機１０の本体に格納された状態で施錠されることで金庫として機能する。保管部１５は、紙幣カセット５０を収容するための紙幣カセット収容部４０と、図示しない硬貨カセットを収容するための硬貨カセット収容部４５とを備える。保管部１５の内部構成については、後述する。
【００１３】
操作表示部１６は、入金機１０の上部に配置されている。操作表示部１６は、タッチパネルにより構成され、上述した各動作モードの設定等を行なうための利用者の操作を受け付けたり、計数された貨幣の金額を表示したりする。制御部１８は、不図示のＣＰＵおよびメモリ等から構成されるコンピュータであり、入金機１０における各種の動作を制御する。
【００１４】
図２は、紙幣搬送機構部１２および保管部１５の内部構成を説明する概略断面図である。なお、図２では、保管部１５の紙幣カセット収容部４０に紙幣カセット５０が収容されていない状態を示している。紙幣搬送機構部１２は、上述した紙幣投入口２２と紙幣リジェクト取出口２３と紙幣返却口２４とに加えて、紙幣受付部２５と、搬送路２６と、紙幣鑑別部２７と、リジェクト紙幣収納部２８と、一時保管部２９と、切換ゲート３０と、シャッター３１とを備えている。
【００１５】
紙幣受付部２５は、紙幣投入口２２から投入された紙幣を繰り出しローラー２１によって１枚ずつ搬送路２６へと繰り出す。搬送路２６は、紙幣を搬送する。紙幣鑑別部２７は、搬送路２６を搬送される紙幣の金種および真偽を判別する。切換ゲート３０は、紙幣鑑別部２７の判別結果に応じて、搬送される紙幣を一時保管部２９に搬送するかリジェクト紙幣収納部２８に搬送するかの切り換えを行なう。具体的には、切換ゲート３０は、紙幣鑑別部２７によって正常と判別された紙幣を一時保管部２９に搬送し、リジェクト紙幣と判別された紙幣をリジェクト紙幣収納部２８に搬送するように切り換えを行なう。リジェクト紙幣収納部２８は、内部にリジェクト紙幣が収納され、紙幣リジェクト取出口２３を介して利用者がリジェクト紙幣を取り出し可能に構成されている。
【００１６】
一時保管部２９は、正常な紙幣を一時的に収納する。「入金モード」のとき、下方のシャッター３１が開かれるため、一時保管部２９に収納されている紙幣は、紙幣カセット収容部４０に収容された紙幣カセット５０に向けて落下する。これにより、紙幣カセット５０の内部に紙幣が収容される。他方、「計数モード」のとき、シャッター３１は閉められており、紙幣返却口２４に設けられた返却扉のロックが解除されて返却扉が開く。これにより、利用者は、一時保管部２９に収納されている紙幣を取り出すことができる。
【００１７】
保管部１５は、入金機１０の本体に格納されたときに、紙幣カセット収容部４０が一時保管部２９およびシャッター３１の下方に位置するように構成されている。保管部１５は、モーター４１と、４つのギア４２と、２つの検知センサ４７，４８と、を備えている。なお、図２では、４つのギア４２のうち２つのみ示している。残りの２つのギア４２は、図２に示す２つのギア４２に対して紙面奥行き方向の対応する位置に配置されている。
【００１８】
モーター４１は、紙幣カセット収容部４０の下方に配置され、各ギア４２を駆動する。４つのギア４２は、紙幣カセット収容部４０の下方に配置され、紙幣カセット収容部４０に紙幣カセット５０が収容された状態において、後述する紙幣カセット５０の４つのギア７１と接触する位置にそれぞれ配置されている。
【００１９】
２つの検知センサ４７，４８は、紙幣カセット収容部４０の内側面にそれぞれ配置されている。検知センサ４７は、紙幣カセット収容部４０の上端部に配置されている。検知センサ４８は、紙幣カセット収容部４０の下端部に配置されている。各検知センサ４７，４８は、紙幣カセット収容部４０を挟んで互いに対向する発光部と受光部とによりそれぞれ構成されている。各検知センサ４７，４８は、紙幣カセット収容部４０に紙幣カセット５０が収容された状態において、発光部からの光が紙幣等によって遮られているときに、紙幣等が特定の位置にあることを検知する。
【００２０】
Ａ−２．紙幣カセットの構成：
図３は、紙幣カセット５０の外観構成を示す斜視図である。本実施形態では、説明の便宜上、Ｘ−Ｙ平面が水平面と平行となるようにＸ軸およびＹ軸を定めている。なお、Ｙ軸およびＺ軸は、それぞれＸ軸と互いに直交する。＋Ｚ方向は鉛直上方に、−Ｚ方向は鉛直下方に、それぞれ相当する。紙幣カセット５０は、四角柱状の外観形状を有し、長手方向が鉛直方向と平行となるように、入金機１０の紙幣カセット収容部４０に着脱自在に収容される。
【００２１】
本実施形態において、紙幣カセット５０は、Ｘ軸に沿った方向の長さが２０ｃｍ、Ｙ軸に沿った方向の長さが１５ｃｍ、Ｚ軸に沿った方向（長手方向）の長さが７０ｃｍ、重量が１０ｋｇであり、内部に最高４５００枚の紙幣を収容可能に構成されている。なお、各寸法は任意の長さであってもでもよく、重量は任意の重量であってもよく、収容可能な紙幣の枚数は任意の数であってもよい。
【００２２】
紙幣カセット５０は、筐体５１と、取っ手部６０と、を備える。筐体５１は、紙幣カセット５０の外郭を構成しており、紙幣の長手方向がＸ軸と平行となるように、紙幣をＺ軸に沿った方向に積層して収容する。筐体５１は、＋Ｚ方向の面（以下、「上面部５２」と呼ぶ）に開口６２が形成され、−Ｙ方向の面（以下、「前面部５３」と呼ぶ）に、開口６３が形成されている。開口６２は、蓋部５７により塞がれ得る。開口６３は、扉部５８により塞がれ得る。蓋部５７および扉部５８は、平面視略矩形の板状部材で構成されている。蓋部５７は、紙幣カセット５０が入金機１０（紙幣カセット収容部４０）に取り付けられた状態において開かれている。このため、一時保管部２９に保管された紙幣は、紙幣カセット５０に収容され得る。他方、蓋部５７は、紙幣カセット５０が入金機１０から取り外された状態において閉じられている。
【００２３】
本実施形態において、扉部５８は、いわゆる片開き戸として構成されている。より具体的には、扉部５８の＋Ｘ方向の端部は、Ｚ軸方向に沿って配置された図示しない複数のヒンジによって筐体５１と接続されており、扉部５８は、これらの複数のヒンジを通る軸（Ｚ軸と平行な軸）を中心として回動可能に構成されている。このため、係員は、扉部５８を開けて筐体５１の内部に収容された紙幣を取り出すことができる。なお、扉部５８は、紙幣カセット５０が入金機１０に取り付けられた状態において閉じられている。
【００２４】
扉部５８および筐体５１の＋Ｙ方向の面（以下、「背面部５４」と呼ぶ）には、２つの孔部５９がそれぞれ形成されている。各孔部５９は、紙幣カセット５０が紙幣カセット収容部４０に収容された状態において、各検知センサ４７，４８と対向する位置に形成されている。これにより、検知センサ４７，４８の発光部からの光を受光部に到達させることができる。
【００２５】
本実施形態において、筐体５１は、ブリキの板金により形成されているが、ブリキに代えて、他の任意の金属や樹脂材料等により形成されていてもよい。なお、筐体５１の各側面は、紙幣カセット５０の外力による凹みによって、後述するエレベータ機構７０の動作が妨げられることを抑制するために、それぞれ互いに重ね合わされた２枚の部材により構成されていてもよい。
【００２６】
取っ手部６０は、両側が折れ曲がった長尺状の部材で構成されている。取っ手部６０の両端部は、筐体５１の＋Ｘ方向の面（以下、「右側面部５５」と呼ぶ）および−Ｘ方向の面（以下、「左側面部５６」と呼ぶ）における開口６２の近傍に、それぞれ回動可能に配置されている。取っ手部６０は、図示しないロックにより、回動位置が固定される。取っ手部６０は、紙幣カセット５０を入金機１０に収容する際、入金機１０から取り外す際、紙幣カセット５０を搬送する際等に、係員によって利用される。
【００２７】
図４は、紙幣カセット５０の内部構成を示す説明図である。紙幣カセット５０は、筐体５１の内部にエレベータ機構７０と、支持部８０とを備える。図４（ａ）は、エレベータ機構７０を説明する斜視図である。図４（ｂ）および（ｃ）は、支持部８０の構成を示す断面図である。図４（ｂ）は、Ｙ−Ｚ平面と平行な紙幣カセット５０の内部断面を示しており、図４（ｃ）は、Ｘ−Ｚ平面と平行な紙幣カセット５０の内部断面を示している。なお、図４（ａ）では、支持部８０の図示を省略しており、図４（ｂ）および（ｃ）では、エレベータ機構７０の一部の図示を省略している。
【００２８】
図４（ａ）に示すエレベータ機構７０は、収容された紙幣の量（積層方向の紙幣束の厚さ）に応じて、収容された紙幣を昇降させることにより、紙幣を整列して積層する。エレベータ機構７０は、８つのギア７１と、４本のベルト７２と、紙幣台７３とを備える。８つのギア７１のうちの４つは、筐体５１の−Ｚ方向の面の四隅にそれぞれ配置されている。これらの４つのギア７１は、紙幣カセット５０が紙幣カセット収容部４０に収容された状態において、図２に示す保管部１５の各ギア４２と接触し、モーター４１により駆動される。８つのギア７１のうちの残りの４つは、上面部５２の四隅にそれぞれ配置されている。４本のベルト７２は、Ｚ軸に沿った方向における一対のギア７１の間に架設されている。
【００２９】
紙幣台７３は、積層された紙幣のうち鉛直下方の端の紙幣と接触する。紙幣台７３は、Ｘ−Ｙ平面と平行に配置された板状の部材で構成され、各ベルト７２に固定されている。なお、板状に代えて、紙幣を載置可能な他の任意の形状であってもよい。紙幣台７３は、一対のギア７１の間で各ベルト７２が駆動されることにより、図中の矢印で示すように昇降する。紙幣台７３は、紙幣が積層されて図２に示す検知センサ４７が紙幣を検知すると、検知センサ４７が紙幣を検知しなくなる位置まで降下する。これにより、積層された紙幣の上端と上面部５２との間の距離を一定に保つことができる。このため、エレベータ機構７０は、紙幣が収容される際に、紙幣が紙幣カセット５０の内部を落下することを抑制し、紙幣を整列して積層する。なお、紙幣台７３が最下限まで降下し、図２に示す検知センサ４８が紙幣台７３を検知すると、紙幣カセット５０が満杯であると判断され、紙幣カセット５０の交換を促す通知が図１に示す操作表示部１６に表示される。
【００３０】
図４（ｂ）および（ｃ）に示す支持部８０は、紙幣収容時および紙幣回収時に、紙幣の外縁と接して紙幣を支持する。支持部８０は、滑性部材８１と、２つの滑り止め部材８３と、５つの圧縮ばね８８と、を備える。
【００３１】
滑性部材８１は、板状の外観形状を有し、背面部５４と平行に配置されている。滑性部材８１は、紙幣カセット５０が入金機１０に取り付けられた状態において、滑り止め部材８３と比べて紙幣ＢＬ側に位置し、滑り止め部材８３が紙幣台７３と接触して紙幣台７３の昇降動作を妨げることを抑制する。滑性部材８１には、厚さ方向に貫通し、Ｚ軸に沿った方向に細長い長方形状の２つの貫通孔８２が形成されている。２つの貫通孔８２は、Ｘ軸に沿った方向に並んで形成されている。各貫通孔８２のＺ軸に沿った方向の長さは、滑性部材８１のＺ軸に沿った方向の長さとそれぞれほぼ等しい。滑性部材８１の表面の摩擦係数は、滑り止め部材８３の表面の摩擦係数よりも小さい。本実施形態において、滑性部材８１は、アクリル板により形成されているが、アクリル板に代えて、他の任意の樹脂や金属等により形成されていてもよい。また、本実施形態において、滑性部材８１は、背面部５４と平行に配置されているが、紙幣台７３の昇降動作を妨げない範囲内で、背面部５４に対して５度等の比較的小さな角度を有して配置されていてもよい。なお、滑性部材８１には、扉部５８および背面部５４と同様に、図示しない２つの孔部が形成されている。これら２つの孔部は、検知センサ４７，４８の発光部から射出される光を貫通させる。
【００３２】
２つの滑り止め部材８３は、紙幣ＢＬの回収時に、紙幣カセット５０に収容されている紙幣ＢＬを支持する。２つの滑り止め部材８３は、基部８４と、突出部８５とをそれぞれ有する。基部８４は、板状の外観形状を有し、背面部５４の内側面６４に固定されている。基部８４の板厚は、−Ｚ方向に連続的に減少している。このため、滑り止め部材８３（基部８４）の−Ｙ方向の面は、背面部５４に対して傾いている。本実施形態において、背面部５４と滑り止め部材８３の−Ｙ方向の面との間の角度θは、５度であるが、５度に限らず任意の角度に設定してもよい。ただし、角度θは、紙幣カセット５０の大型化を抑制するために、１０度以内であることが好ましい。突出部８５は、基部８４から−Ｙ方向に突出して形成されている。突出部８５は、基部８４の−Ｙ方向の端面において、Ｚ軸と平行な方向に沿って所定間隔で並んで配置された複数の凸状部位の集合からなる。各滑り止め部材８３は、各貫通孔８２と対向する位置に配置されている。各滑り止め部材８３は、紙幣カセット５０が入金機１０に取り付けられた状態において、滑性部材８１を挟んで紙幣ＢＬと反対側に配置されている。このため、各滑り止め部材８３は、紙幣カセット５０が入金機１０に取り付けられた状態において紙幣ＢＬの外縁と接触しないので、紙幣台７３の昇降動作の妨げとならない。
【００３３】
各滑り止め部材８３が突出部８５を有するため、各滑り止め部材８３の−Ｙ方向の面における、基部８４および突出部８５を併せた全体としての摩擦係数は、滑性部材８１の摩擦係数よりも大きい。本実施形態において、各滑り止め部材８３は、合成ゴムの歯付ベルトにより形成されている。なお、合成ゴムに代えて、ポリプロピレン等の他の材料の歯付ベルトにより形成されていてもよく、面ファスナ等により形成されていてもよい。また、各滑り止め部材８３が互いに異なる材料により形成されていてもよい。なお、上述の歯付ベルトは、一般に、タイミングベルトやコグドベルト等とも呼ばれる。
【００３４】
５つの圧縮ばね８８は、背面部５４と滑性部材８１との間に、Ｚ軸に沿った方向に並んで配置されている。各圧縮ばね８８の一端は滑性部材８１に接続され、他端は背面部５４の内側面６４に接続されている。これにより滑性部材８１は、Ｙ軸方向と平行な方向に沿って移動することができる。他方、上述のように滑り止め部材８３は、背面部５４の内側面６４に固定されている。このため、滑性部材８１と滑り止め部材８３との相対的な位置関係は、変化し得る。
【００３５】
本実施形態では、紙幣カセット５０が入金機１０に取り付けられた状態において、滑性部材８１は、滑り止め部材８３に比べて紙幣ＢＬの外縁により近づいている。より具体的には、滑性部材８１における−Ｙ方向の面は、滑り止め部材８３における−Ｙ方向の面（突出部８５が形成された面）よりも、紙幣ＢＬの外縁により近づいている。以降では、支持部８０の配置態様として、滑性部材８１の紙幣ＢＬ側の面が滑り止め部材８３の紙幣ＢＬ側の面に比べて紙幣ＢＬの外縁により近づいている態様を、第１の配置態様と呼ぶ。なお、紙幣カセット５０が入金機１０から取り外された状態における、滑性部材８１と滑り止め部材８３との位置関係については、後述する。本実施形態において、各圧縮ばね８８は、金属製のコイルばねにより形成されているが、コイルばねに代えて他の任意の形式のばねにより形成されていてもよく、金属に代えて他の任意の材料により形成されていてもよい。なお、各圧縮ばね８８は、互いに異なる形式のばねにより形成されていてもよく、互いに異なる材料により形成されていてもよい。また、支持部８０は、５つに限らず他の任意の数の圧縮ばね８８を備えていてもよい。
【００３６】
本実施形態において、入金機１０は請求項における紙葉類処理装置に、紙幣ＢＬは請求項における紙葉類に、紙幣カセット５０は請求項における紙葉類カセットに、滑性部材８１は請求項における第１の板状部材に、滑り止め部材８３は請求項における第２の板状部材に、背面部５４は請求項における第１の壁部に、扉部５８は請求項における開閉部に、紙幣台７３は請求項における移動部材に、それぞれ相当する。
【００３７】
Ａ−３．支持部の動作：
図５は、支持部８０の動作を示す説明図である。図５では、図４（ｂ）に示す紙幣カセット５０の配置状態から、反時計回りに９０度回転させた配置状態における紙幣カセット５０の内部断面を示している。図５（ａ）は、紙幣ＢＬの回収前の状態を示し、図５（ｂ）は、紙幣ＢＬの回収途中の状態を示している。紙幣カセット５０は、上述したように柱状の外観形状を有する。このため、入金機１０から取り外された紙幣カセット５０は、入金機１０に取り付けられた状態と同じように長手方向が鉛直方向と平行となるように置かれると、転倒するおそれがある。このような転倒を回避するために、紙幣ＢＬを回収する係員は、入金機１０から取り外された紙幣カセット５０を、長手方向が水平方向と平行となるいわゆる横置きにして紙幣ＢＬの回収作業を行なう。このとき、係員は、扉部５８（前面部５３）が鉛直上方となるように紙幣カセット５０を載置する。
【００３８】
図５（ａ）に示すように、支持部８０は、扉部５８（前面部５３）が鉛直上方となるように紙幣カセット５０が横置きされた状態において、積層された紙幣ＢＬに対して鉛直下方に位置する。このとき、各圧縮ばね８８は、紙幣カセット５０の内部に収容された紙幣ＢＬの自重により、圧縮される。このため、滑性部材８１は、各圧縮ばね８８の圧縮により、図５（ａ）において白抜きの矢印で示す方向（鉛直下方）に移動する。すなわち、滑性部材８１は、紙幣ＢＬから離れる方向に移動する。これにより、突出部８５は、貫通孔８２に収容されて先端が紙幣ＢＬの外縁と接する。このような動作により、各滑り止め部材８３は、積層された紙幣ＢＬの外縁と接して紙幣ＢＬを支持する。
【００３９】
紙幣カセット５０が横置きされた状態において、突出部８５のうち上面部５２寄りの一部は、滑性部材８１に比べて紙幣ＢＬの外縁により近づいている。より具体的には、滑り止め部材８３における＋Ｚ方向の面（突出部８５が形成された面）のうち上面部５２寄りの一部は、滑性部材８１における＋Ｚ方向の面よりも、紙幣ＢＬの外縁により近づいている。以降では、支持部８０の配置態様として、滑り止め部材８３の紙幣ＢＬ側の面が滑性部材８１の紙幣ＢＬ側の面に比べて紙幣ＢＬの外縁により近づいている態様を、第２の配置態様と呼ぶ。このように、支持部８０は、第１の配置態様と、第２の配置態様とが切り替え可能に構成されている。
【００４０】
本実施形態において、各圧縮ばね８８は、紙幣カセット５０に紙幣ＢＬが５００枚以上収容されている場合に、滑り止め部材８３の突出部８５の先端が紙幣ＢＬと接する程度に滑性部材８１が移動するように構成されている。なお、紙幣カセット５０に収容されている紙幣ＢＬが５００枚未満の場合、上面部５２と紙幣台７３との隙間が小さいため、紙幣ＢＬは倒れることなく回収される。なお、５００枚に代えて他の任意の枚数以上の紙幣ＢＬが収容されているときに、滑性部材８１が移動するように設定してもよい。
【００４１】
図５（ｂ）に示すように、係員によって扉部５８が開かれ、紙幣カセット５０の内部から紙幣ＢＬが回収される。紙幣ＢＬが回収されるにつれて紙幣ＢＬと上面部５２との間に空間が生じるため、その空間に未回収の紙幣ＢＬが倒れ得る。しかしながら、本実施形態の紙幣カセット５０は、摩擦係数の大きい面を有する滑り止め部材８３が、紙幣カセット５０が横置きされた状態において紙幣ＢＬと接触するので、紙幣ＢＬの底部が図の矢印で示す方向Ｄ１に滑って紙幣ＢＬの束が崩れることが抑制される。また、滑り止め部材８３の紙幣ＢＬ側の面は、背面部５４に対して傾いている。このため、紙幣ＢＬには、上面部５２から紙幣台７３に向かう方向の力（重力成分）が加わるので、紙幣ＢＬが図の矢印で示す方向Ｄ２に倒れることが抑制される。
【００４２】
本実施形態において、滑性部材８１の紙幣ＢＬ側の面は請求項における第１面に相当し、滑り止め部材８３の紙幣ＢＬ側の面は請求項における第２面に相当する。また、扉部５８が鉛直上方となるように紙幣カセット５０が横置きされることは、請求項における筐体から複数の紙葉類を取り出すための動作に関連する所定の条件に相当する。
【００４３】
以上説明した第１実施形態の紙幣カセット５０では、紙幣カセット５０が横置きされることにより、支持部８０の配置態様が第１の配置態様から第２の配置態様へと切り替わり、滑り止め部材８３（突出部８５）が紙幣ＢＬに接する。このため、紙幣ＢＬを回収する際に紙幣ＢＬの底部が滑って紙幣ＢＬの束が崩れることを抑制できる。また、滑り止め部材８３の紙幣ＢＬ側の面が背面部５４に対して傾いているので、紙幣ＢＬが倒れて紙幣ＢＬの束が崩れることを抑制できる。それゆえ、紙幣カセット５０から紙幣ＢＬを回収する際の作業性の低下を抑制できる。また、紙幣カセット５０の背面部５４が載置面に対して水平となるように横置きした状態で紙幣ＢＬを回収できるので、紙幣カセット５０の転倒を抑制できる。また、紙幣カセット５０が入金機１０に取り付けられた状態では、支持部８０の配置態様が第１の配置態様となるため、滑り止め部材８３が紙幣台７３の昇降動作の妨げとなることを抑制できる。
【００４４】
また、支持部８０の配置態様は、紙幣カセット５０が横置きされることを契機として自動的に切り替わる。このため、紙幣ＢＬの回収前に係員が支持部８０の配置態様を切り替える動作を省略できると共に、紙幣ＢＬの回収完了後に係員による支持部８０の配置態様の戻し忘れを抑制できる。さらに、支持部８０は、紙幣ＢＬの自重によって圧縮ばね８８が圧縮されることより滑性部材８１が移動する構成なので、滑性部材８１の移動のために複雑な機構を要せず、製造コストの上昇を抑制できる。また、角度θが５度と比較的小さいため、紙幣カセット５０の大型化を抑制できる。
【００４５】
Ｂ．第２実施形態：
Ｂ−１．装置構成：
図６は、第２実施形態としての紙幣カセット９０の内部構成を示す説明図である。図６（ａ）は、図３におけるＸ−Ｚ平面と平行な紙幣カセット９０の内部断面を示しており、図６（ｂ）は、Ｙ−Ｚ平面と平行な紙幣カセット９０の内部断面を示しており、図６（ｃ）は、Ｘ−Ｙ平面と平行な紙幣カセット９０の内部断面を示している。第２実施形態の紙幣カセット９０は、支持部８０に代えて支持部１００を有する点、および支持部１００の動作内容において、第１実施形態の紙幣カセット５０と異なる。第２実施形態の紙幣カセット９０のその他の構成は第１実施形態の紙幣カセット５０と同じであるので、同一の構成要素には同一の符号を付し、それらの詳細な説明を省略する。
【００４６】
第２実施形態の支持部１００は、滑性部材８１に代えて滑性部材１０１を備える点と、滑り止め部材８３に代えて滑り止め部材１０３を備える点と、背面部５４に代えて右側面部５５の近傍に滑性部材１０１および滑り止め部材１０３を備える点と、滑り止め部材１０３が右側面部５５に対して平行に配置されている点と、滑り止め部材１０３の数が１つである点と、圧縮ばね８８を備えない点と、リンク機構１１０と側面板１１７とを備える点とにおいて、第１実施形態の支持部８０と異なる。
【００４７】
滑性部材１０１は、右側面部５５の近傍において、右側面部５５に対して平行に配置されている。滑性部材１０１には、厚さ方向に貫通する貫通孔１０２が形成されている。貫通孔１０２の平面視形状は、第１実施形態の貫通孔８２と同様に、Ｚ軸に沿った方向に細長い長方形状である。
【００４８】
滑り止め部材１０３は、基部１０４と、突出部１０５とを有する。滑り止め部材１０３は、貫通孔１０２と対向する位置に、右側面部５５に対して平行に配置されている。滑り止め部材１０３は、紙幣カセット９０が入金機１０に取り付けられた状態において、滑性部材１０１を挟んで紙幣ＢＬと反対側に配置されている。このため、滑り止め部材１０３は、紙幣カセット９０が入金機１０に取り付けられた状態において、紙幣ＢＬの外縁と接触していない。
【００４９】
リンク機構１１０は、３つの引っ張りばね１１４と、４つのリンクピン１１５と、４つのベアリング機構１１６とを有する。３つの引っ張りばね１１４は、右側面部５５と滑り止め部材１０３の基部１０４との間に、Ｚ軸に沿った方向に並んで配置されている。各引っ張りばね１１４の端部は、右側面部５５と基部１０４とに接続されている。このため、扉部５８が閉じた状態において、滑り止め部材１０３は、引っ張りばね１１４の付勢力により滑性部材１０１に対して右側面部５５側に位置している。４つのリンクピン１１５は、扉部５８にそれぞれ接続されている。４つのベアリング機構１１６は、各リンクピン１１５および基部１０４にそれぞれ接続されており、リンクピン１１５の動きを基部１０４の動きに変換する。なお、リンク機構１１０は、３つに限らず他の任意の数の引っ張りばね１１４を有していてもよく、４つに限らず他の任意の数のリンクピン１１５およびベアリング機構１１６を有していてもよい。側面板１１７は、左側面部５６の近傍において、左側面部５６と平行に配置されている。側面板１１７は、紙幣カセット９０の外力による凹みによって紙幣台７３の昇降動作が妨げられることを抑制すると共に、第２の配置態様において紙幣ＢＬを支持する。本実施形態において、側面板１１７は、ブリキの板金により形成されているが、ブリキに代えて、他の任意の金属や樹脂等により形成されていてもよい。
【００５０】
Ｂ−２．支持部の動作：
図７は、支持部１００およびリンク機構１１０の動作を示す説明図である。図７では、図６（ｃ）に示す状態から、扉部５８（前面部５３）が鉛直上方となるように紙幣カセット９０が横置きされて、扉部５８が開かれた後の状態の紙幣カセット９０の内部断面を示している。扉部５８が開かれると、扉部５８の回動に応じてリンクピン１１５が図中の矢印の方向に押し下げられる。ベアリング機構１１６は、リンクピン１１５が押し下げられると、滑り止め部材１０３を図において白抜きの矢印で示す方向に押し出す。これにより、突出部１０５は、貫通孔１０２に収容されて先端が紙幣ＢＬの外縁と接する。すなわち、リンク機構１１０は、扉部５８による開口６３の開動作に同期して、滑り止め部材１０３を変位させる。このようにして、支持部１００の配置態様は、第１の配置態様から第２の配置態様へと切り替わる。なお、滑り止め部材１０３は、紙幣ＢＬが側面板１１７と接触するまで押し出される。本実施形態では、扉部５８が限界まで開かれたときに支持部１００の配置態様が第１の配置態様から第２の配置態様へと切り替わるが、限界まで開かれたときに限らず、任意の開き度合いにより支持部１００の配置態様が切り替わる構成であってもよい。
【００５１】
紙幣ＢＬは、摩擦係数の大きい面を有する滑り止め部材１０３と接触した状態で回収される。このため、紙幣ＢＬが回収されるにつれて、紙幣カセット９０の内部に空間が生じた場合であっても、その空間に紙幣ＢＬが倒れて紙幣ＢＬの束が崩れることが抑制される。それゆえ、紙幣カセット９０から紙幣ＢＬを回収する際の作業性の低下を抑制できる。なお、紙幣ＢＬの回収完了後に扉部５８が閉じられることにより、扉部５８の回動に応じてリンクピン１１５が押し上げられ、滑り止め部材１０３は、引っ張りばね１１４の付勢力により右側面部５５側に押し戻される。このようにして、支持部１００の配置態様は、扉部５８による開口６３の閉動作に同期して第２の配置態様から第１の配置態様へと切り替わる。
【００５２】
以上説明した第２実施形態の紙幣カセット９０は、第１実施形態の紙幣カセット５０と同様な効果を奏する。加えて、第２実施形態の紙幣カセット９０では、滑り止め部材１０３が右側面部５５に対して平行に配置されているので、滑り止め部材１０３と右側面部５５との間の距離が短く、紙幣カセット９０の大型化を抑制できる。また、第２実施形態の紙幣カセット９０において、支持部１００の配置態様は、扉部５８による開口６３の開動作および閉動作に同期して滑り止め部材１０３が変位することにより切り替わる。このため、紙幣ＢＬの回収前に係員が支持部１００の配置態様を切り替える動作を省略できると共に、紙幣ＢＬの回収完了後に、係員による支持部１００の配置態様の戻し忘れを抑制できる。
【００５３】
Ｃ．変形例：
なお、本発明は上記した実施形態に限定されるものではなく、様々な変形例が含まれる。例えば、上記した実施形態は本発明を分かりやすく説明するために詳細に説明したものであり、必ずしも説明した全ての構成を備えるものに限定されるものではない。また、実施形態の構成の一部について、他の構成の追加・削除・置換をすることが可能である。また、本発明には、具体的な以下のような変形例が含まれ得る。
【００５４】
Ｃ−１．変形例１：
第１実施形態の紙幣カセット５０の構成はあくまでも一例であり、種々変更可能である。例えば、基部８４の板厚が連続的に減少することにより、滑り止め部材８３の紙幣ＢＬ側の面が背面部５４に対して傾いていたが、本発明はこれに限定されるものではない。基部８４が一定の板厚を有する構成においては、角度θを調整する部材を介して背面部５４の内側面６４に基部８４が固定されていてもよい。また、滑り止め部材８３の紙幣ＢＬ側の面は、背面部５４に対して傾いていたが、基部８４が一定の板厚を有することにより滑り止め部材８３の紙幣ＢＬ側の面が背面部５４に対して平行に配置されていてもよい。このような構成によっても、紙幣ＢＬを回収する際に、摩擦係数の大きい面を有する滑り止め部材８３が紙幣ＢＬを支持するので、紙幣ＢＬの底部が滑って紙幣ＢＬの束が崩れることを抑制できる。
【００５５】
図８は、変形例１における紙幣カセット５０ａを説明する断面図である。紙幣カセット５０ａは、滑り止め部材８３ａの基部８４ａが一定の板厚を有し、滑り止め部材８３ａの紙幣ＢＬ側の面が背面部５４に対して平行に配置されている点において、図５に示す第１実施形態の紙幣カセット５０と異なる。変形例１における紙幣カセット５０ａのその他の構成は第１実施形態の紙幣カセット５０と同じであるので、同一の構成要素には同一の符号を付し、それらの詳細な説明を省略する。
【００５６】
変形例１の紙幣カセット５０ａにおいて、取っ手部６０は、紙幣カセット５０ａを傾けるために利用され得る。図８に示すように、取っ手部６０を背面部５４に対して鉛直下方に回動させ、図示しないロックにより固定することで、紙幣カセット５０ａを載置面に対して傾けた状態に維持できる。このため、滑り止め部材８３ａが水平面に対して傾くので、紙幣ＢＬが回収されるにつれて紙幣ＢＬと上面部５２との間に空間が生じても、紙幣ＢＬが図の矢印で示す方向Ｄ２に倒れて紙幣ＢＬの束が崩れることを抑制できる。したがって、紙幣カセット５０ａから紙幣ＢＬを回収する際の作業性の低下を抑制できる。また、紙幣カセットの底部に設けられた棒状のスタンドを立てることにより紙幣カセットを載置面に対して傾けた状態に維持する構成と比較して、取っ手部６０の接地面積が大きいので、紙幣カセット５０ａの転倒を抑制できる。
【００５７】
Ｃ−２．変形例２：
第２実施形態の紙幣カセット９０において、滑性部材１０１および滑り止め部材１０３は、別々の部材により形成されていたが、本発明はこれに限定されるものではない。滑性部材１０１および滑り止め部材１０３は、１つの部材により形成されていてもよい。
【００５８】
図９は、変形例２における紙幣カセットの支持部１００ｂを説明する模式図である。図９（ａ）は、滑性面１０１ｂが紙幣ＢＬと接している状態を示し、図９（ｂ）は、滑り止め面１０３ｂが紙幣ＢＬと接している状態を示している。紙幣カセット９０ｂの支持部１００ｂは、紙幣ＢＬの積層方向に沿って並んだ複数の回動部材１２０を有する。各回動部材１２０は、Ｌ字型の断面視形状を有し、滑性面１０１ｂと滑り止め面１０３ｂとが垂直に交わる構成を有する。各回動部材１２０は、回動可能に構成されている。図９（ａ）に示すように、滑性面１０１ｂは、紙幣カセットが入金機１０に取り付けられた状態において、滑り止め面１０３ｂと比べて紙幣ＢＬ側に位置している。他方、図９（ｂ）に示すように、各回動部材１２０は、紙幣ＢＬが紙幣カセットから回収される際に、扉部による開口の開動作に同期して動作する図示しないリンク機構により、それぞれ図の矢印で示す方向に９０度回動する。これにより、滑り止め面１０３ｂは、紙幣ＢＬと接触する。このため、紙幣カセットから紙幣ＢＬを回収する際に、紙幣ＢＬが倒れて紙幣ＢＬの束が崩れることを抑制でき、作業性の低下を抑制できる。すなわち、一般には、支持部８０，１００，１００ｂは、第１面と、第１面よりも大きな摩擦係数を有する第２面とを有し、第１面が第２面に比べて紙幣ＢＬの外縁により近づく第１の配置態様と、第２面が第１面に比べて紙幣ＢＬの外縁により近づく第２の配置態様とが切り替え可能に構成されていてもよい。
【００５９】
Ｃ−３．変形例３：
第１実施形態の紙幣カセット５０では、滑性部材８１に２つの貫通孔８２が形成され、２つの滑り止め部材８３が各貫通孔８２と対向する位置に配置されていたが、滑り止め部材８３および貫通孔８２の数は、２つに限らず、他の任意の数であってもよい。また、第２実施形態の紙幣カセット９０では、滑り止め部材１０３の数は１つであったが、１つに限らず、他の任意の数であってもよい。ただし、滑り止め部材８３，１０３の数は、製造コストの低廉化の観点から、少ないほうが好ましい。
【００６０】
Ｃ−４．変形例４：
第２実施形態における紙幣カセット９０の構成はあくまでも一例であり、種々変更可能である。例えば、右側面部５５の近傍に滑性部材１０１および滑り止め部材１０３が配置されていたが、背面部５４の近傍に滑性部材１０１および滑り止め部材１０３が配置され、または左側面部５６の近傍に滑性部材１０１および滑り止め部材１０３が配置されていてもよい。また、２つ以上の面に滑り止め部材１０３を備えていてもよい。また、リンク機構１１０は、滑り止め部材１０３を変位させていたが、滑性部材１０１および側面板１１７を変位させることにより、支持部１００の配置態様を第１の配置態様から第２の配置態様へと切り替えてもよい。このような構成によっても、第２実施形態の紙幣カセット９０と同様な効果を奏する。すなわち、一般には、リンク機構１１０は、扉部５８による開口６３の開動作に同期して、突出部１０５の先端が紙幣ＢＬに接するように滑性部材１０１と滑り止め部材１０３とのうちの少なくとも一方を変位させてもよい。
【００６１】
Ｃ−５．変形例５：
第２実施形態の紙幣カセット９０において、支持部１００の配置態様は、扉部５８の開動作に同期して切り替えられたが、本発明はこれに限定されるものではない。紙幣カセット９０は、入金機１０から紙幣カセット９０が取り外されることに同期して支持部１００の配置態様が切り替わる構成であってもよい。この構成においては、紙幣カセット９０が取り外される動作と基部１０４の移動とを同期させるリンク機構が用いられる。また、紙幣カセット９０に設けられた所定のボタンを係員が押すことにより、支持部１００の配置態様が切り替わる構成であってもよい。この構成においては、ボタンが押される動作と基部１０４の移動とを同期させるリンク機構が用いられる。これら２つの変形例の構成によっても、第２実施形態の紙幣カセット９０と同様な効果を奏する。すなわち、一般には、支持部１００の配置態様は、筐体５１から紙幣ＢＬを取り出すための動作に関連する所定の条件が満たされた場合に、第１の配置態様から第２の配置態様に切り替わってもよい。
【００６２】
Ｃ−６．変形例６：
第１実施形態では、紙幣カセット５０が横置きされることのみにより支持部８０の配置態様が切り替わり、第２実施形態では、扉部５８が開かれることのみにより支持部１００の配置態様が切り替わっていたが、本発明はこれに限定されるものではない。複数の条件が満たされることにより、支持部８０，１００の配置態様が切り替わる構成であってもよい。例えば、扉部５８による開口６３の開動作と、紙幣カセット９０に設けられた所定のボタンを係員が押すこととの、２つの条件が満たされた場合に、支持部１００の配置態様が第１の配置態様から第２の配置態様に切り替わってもよい。
【００６３】
Ｃ−７．変形例７：
各実施形態における紙幣カセット５０，９０は、エレベータ機構７０を備えていたが、エレベータ機構７０を省略してもよい。かかる構成によっても、各実施形態の紙幣カセット５０，９０と同様な効果を奏する。
【００６４】
Ｃ−８．変形例８：
各実施形態の紙幣カセット５０，９０は、長手方向が鉛直方向と平行になるように入金機１０の紙幣カセット収容部４０に収容されていたが、長手方向が鉛直方向と垂直となるように収容されてもよい。かかる構成によっても、各実施形態の紙幣カセット５０，９０と同様な効果を奏する。ただし、第１実施形態の紙幣カセット５０においては、入金機１０に取り付けられた状態において滑り止め部材８３が紙幣ＢＬと接触しないように、前面部５３（扉部５８）が鉛直上方とならない態様で収容されることが好ましい。また、各実施形態の紙幣カセット５０，９０は、入金機１０の紙幣カセット収容部４０に収容されていたが、入金機１０の内部に収容されずに、紙幣カセット５０，９０の一部が入金機１０の外部に露呈して取り付けられていてもよい。
【００６５】
Ｃ−９．変形例９：
各実施形態では、入金機１０に用いられる紙幣カセット５０，９０に本発明を適用したが、これに代えて、現金自動預払機等の他の任意の紙幣処理装置に用いられる紙幣カセット５０，９０に本発明を適用してもよい。また、各実施形態において、紙幣カセット５０，９０に収容される対象物は紙幣ＢＬであったが、紙幣ＢＬに限らず、商品券等の他の任意の紙葉類であってもよい。例えば、商品券入金機等に用いられる紙葉類カセットに本発明を適用してもよい。
【符号の説明】
【００６６】
１０…入金機
１２…紙幣搬送機構部
１４…硬貨搬送機構部
１５…保管部
１６…操作表示部
１８…制御部
２１…繰り出しローラー
２２…紙幣投入口
２３…紙幣リジェクト取出口
２４…紙幣返却口
２５…紙幣受付部
２６…搬送路
２７…紙幣鑑別部
２８…リジェクト紙幣収納部
２９…一時保管部
３０…切換ゲート
３１…シャッター
３２…硬貨投入口
３３…硬貨リジェクト取出口
３４…硬貨返却口
４０…紙幣カセット収容部
４１…モーター
４２…ギア
４５…硬貨カセット収容部
４７…検知センサ
４８…検知センサ
５０…紙幣カセット
５０ａ…紙幣カセット
５１…筐体
５２…上面部
５３…前面部
５４…背面部
５５…右側面部
５６…左側面部
５７…蓋部
５８…扉部
５９…孔部
６０…取っ手部
６２…開口
６３…開口
６４…内側面
７０…エレベータ機構
７１…ギア
７２…ベルト
７３…紙幣台
８０…支持部
８１…滑性部材
８２…貫通孔
８３…滑り止め部材
８３ａ…滑り止め部材
８４…基部
８４ａ…基部
８５…突出部
８８…圧縮ばね
９０…紙幣カセット
１００…支持部
１００ｂ…支持部
１０１…滑性部材
１０１ｂ…滑性面
１０２…貫通孔
１０３…滑り止め部材
１０３ｂ…滑り止め面
１０４…基部
１０５…突出部
１１０…リンク機構
１１４…引っ張りばね
１１５…リンクピン
１１６…ベアリング機構
１１７…側面板
１２０…回動部材
Ｄ１…方向
Ｄ２…方向
ＢＬ…紙幣
【図１】
0006283605.tif 000002
【図２】
0006283605.tif 000003
【図３】
0006283605.tif 000004
【図４】
0006283605.tif 000005
【図５】
0006283605.tif 000006
【図６】
0006283605.tif 000007
【図７】
0006283605.tif 000008
【図８】
0006283605.tif 000009
【図９】
0006283605.tif 000010